(57)【要約】      （修正有）【課題】テーブル部の上昇をスムーズにし、テーブル部の自由降下によるガススプリングの損傷を防止する。【解決手段】ベッドサイドテーブルは、支持体に立設された筒状の固定支柱６と、固定支柱６内で上下方向に移動自在な筒状の可動支柱７と、可動支柱７の上端に固定されたテーブル部１０と、可動支柱７内に配置されて、下端が固定されたシリンダ部１４と、テーブル部１０を下方から付勢するロッド２０とを有するガススプリング１３からなり、テーブル部１０に設けたロック解除レバー２４が、ガススプリング１３の作動片２３に対し分離可能に配置され、スライダ部２１は、ロッド２０に固定されると共に、可動支柱７の内面に摺接し、スライダ部２１の上端は、可動支柱７の内面７ａから突出する係合部２２に当接して、テーブル部１０を押し上げる外力が働いた時、作動片２３からロック解除レバー２４が分離し、テーブル部１０と共に可動支柱７を上昇可能とした。【選択図】図１
2014108276.tif 000002
【特許請求の範囲】
【請求項１】
水平方向に延在する支持体と、
前記支持体に立設された筒状の固定支柱と、
前記固定支柱内で上下方向に移動自在な筒状の可動支柱と、
前記可動支柱の上端に固定されたテーブル部と、
シリンダ部と、このシリンダ部に突没可能に設けられたロッドと、このロッドの先端に位置し、前記テーブル部に設けられたロック解除レバーに連動してその作動により前記ロッドの突没を可能とする作動片と、を有するガススプリングと、
前記ロッド上部の上端に固定され、前記可動支柱の内面に摺接して配置されたスライダ部と、を備え、
前記ガススプリングの前記シリンダ部が、前記可動支柱の内部で昇降不能に支持されると共に、前記テーブル部のロック解除レバーが、前記ガススプリングの作動片に対し分離可能に配置され、
下方からの前記スライダ部の係合可能な係合部が前記可動支柱の内面に突設され、前記テーブル部下方からテーブル部を押し上げる外力が加わったとき、前記作動片からの前記ロック解除レバーの分離を伴って、前記テーブル部及び前記可動支柱を前記固定支柱に対して上昇可能としたことを特徴とするベッドサイドテーブル。
【請求項２】
前記ガススプリングの作動片が、前記ロッドに対する付勢力に抗した押し込み操作を可能に設けられると共に、前記テーブル部のロック解除レバーがシーソー状の上下揺動を可能に設けられ、
前記ロック解除レバーの操作部に対する作動部が、前記作動片に対し連動可能かつ分離可能に上方から当接された請求項１記載のベッドサイドテーブル。
【発明の詳細な説明】
【技術分野】
【０００１】
本発明は、高さ調整可能なテーブル部を備えたベッドサイドテーブルに関するものである。
【背景技術】
【０００２】
従来、このような分野の技術として、特許第４００１５０６号公報がある。この公報に記載されたベッドサイドテーブルは、移動可能に構成された支持体と、この支持体に立設された中空状の固定支柱と、シリンダ部、このシリンダ部に突没可能に設けられたロッド及びこのロッドの先端に設けられその操作によって上記ロッドのロック状態を解除して突没可能とする作動部とを有し、上記ロッドを上側にして上記固定支柱内に移動可能に収容されたガススプリングと、上記固定支柱にスライド可能に外嵌された中空状の可動支柱と、この可動支柱の上端に取付けられるとともに上記ガススプリングのロッドの先端が連結されこのロッドがロック状態のときに下方から押し上げられると上記可動支柱及び上記ガススプリングと一体的に上記固定支柱に沿って上昇するテーブル板と、このテーブル板に設けられその操作によって上記作動部を押圧し上記ガススプリングのロッドのロック状態を解除して上記テーブル板を上下動可能とする操作部と、を具備している。
【先行技術文献】
【特許文献】
【０００３】
【特許文献１】特許第４００１５０６号公報
【発明の概要】
【発明が解決しようとする課題】
【０００４】
前述した従来のベッドサイドテーブルは、固定支柱内で移動可能に収容されたガススプリングを具備しているので、ガススプリングのロッドのロック状態を解除していないときに、テーブル板がベッドのフットボード等によって押し上げられても、テーブル板がガススプリングと一緒に上昇するから、ベッドのフットボードやベッドサイドテーブルのテーブル板を損傷させるような応力が発生するのを防止できる。しかしながら、ガススプリングがテーブル板と一緒に上昇するので、テーブル板の上昇荷重が大きく、それによって、テーブル板がベッドのフットボード等によって自由に押し上げられても、テーブル板をスムーズに押し上げることができず、ベッドのフットボードやベッドサイドテーブルのテーブル板を損傷させ易くなる。また、テーブル板が自由落下すると、ガススプリングがテーブル板と一緒に降下するので、テーブル板の降下荷重が大きく、固定支柱内でガススプリングが落下の衝撃により損傷する虞もある。
【０００５】
本発明は、テーブル部の自由な上昇をスムーズにし、テーブル部の自由降下によるガススプリングの損傷を防止するようにしたベッドサイドテーブルを提供することを目的とする。
【課題を解決するための手段】
【０００６】
本発明に係るベッドサイドテーブルは、
水平方向に延在する支持体と、
前記支持体に立設された筒状の固定支柱と、
前記固定支柱内で上下方向に移動自在な筒状の可動支柱と、
前記可動支柱の上端に固定されたテーブル部と、
シリンダ部と、このシリンダ部に突没可能に設けられたロッドと、このロッドの先端に位置し、前記テーブル部に設けられたロック解除レバーに連動してその作動により前記ロッドの突没を可能とする作動片と、を有するガススプリングと、
前記ロッド上部の上端に固定され、前記可動支柱の内面に摺接して配置されたスライダ部と、を備え、
前記ガススプリングの前記シリンダ部が、前記可動支柱の内部で昇降不能に支持されると共に、前記テーブル部のロック解除レバーが、前記ガススプリングの作動片に対し分離可能に配置され、
下方からの前記スライダ部の係合可能な係合部が前記可動支柱の内面に突設され、前記テーブル部下方からテーブル部を押し上げる外力が加わったとき、前記作動片からの前記ロック解除レバーの分離を伴って、前記テーブル部及び前記可動支柱を前記固定支柱に対して上昇可能としたことを特徴とする。
【０００７】
このベッドサイドテーブルにおいて、可動支柱の内面と摺接させられているスライダ部はロッドに固定され、スライダ部の上端は、可動支柱に設けられた係合部に当接されているので、ガス圧によりテーブル部を上昇させる際は、スライダ部と係合部との協働で、ロッドが上昇し、可動支柱と共にテーブル部を自由に上昇させることができる。また、スライダ部は可動支柱の内面に摺接されているため、ロッドの停止状態であるロック状態であっても、ガススプリングを持ち上げることなく、テーブル部を自由に上昇させることができる。
【発明の効果】
【０００８】
本発明によれば、テーブル部の自由な上昇をスムーズにし、テーブル部の自由降下によるガススプリングの損傷を防止することができる。
【図面の簡単な説明】
【０００９】
【図１】本発明に係るベッドサイドテーブルの一実施形態を示す断面図である。
【図２】ベッドサイドテーブルのガス圧による上昇後の状態を断面図である。
【図３】ベッドのサイドボードにテーブル部が載置された状態を示す側面図である。
【発明を実施するための形態】
【００１０】
以下、図面を参照しつつ本発明に係るベッドサイドテーブルの好適な実施形態について詳細に説明する。
【００１１】
図１〜図３に示されるように、ベッドサイドテーブル１は、水平方向に移動自在な支持体２を有し、この支持体２には、水平方向に延在する荷重支持フレーム３が設けられ、この荷重支持フレーム３には、キャスター５が固定されている。なお、キャスター５に代えて、高さ調整自在な足部を設けてもよい。
【００１２】
支持体２の荷重支持フレーム３の端部には、断面正方形の筒状の固定支柱６が立設され、固定支柱６の下端は、荷重支持フレーム３に固定された台座部３ａにボルト４により固定されている。固定支柱６の上端には開口部６ａが形成され、この開口部６ａから可動支柱７を突出させている。
【００１３】
固定支柱６内には、上下方向に移動自在な断面正方形の筒状の可動支柱７が配置されている。可動支柱７の外周面には、ローラスライダー８が固定され、ローラスライダー８により、可動支柱７を固定支柱６内でスムーズに上下動させることができる。そして、可動支柱７の上端は、テーブル部１０の端部に固定され、可動支柱７の下端には、フランジ状のエンドストッパ７ｂが設けられ、エンドストッパ７ｂは、固定支柱６の内面に設けられたエンド突起６ｂにより、上下の移動範囲が規制されている。
【００１４】
テーブル部１０は、水平方向に延在するテーブル板１１と、テーブル板１１の裏面に固定されたテーブル受け部材１２と、からなる。テーブル受け部材１２は、角柱パイプからなり、テーブル板１１の裏面に木ねじで固定されると共に、可動支柱７の上端に固定されている。
【００１５】
可動支柱７内には、周知のガススプリング１３が配置されている。このガススプリング１３は、シリンダ部１４と、このシリンダ部１４に突没可能に設けられたロッド２０と、このロッド２０の先端に位置し、前記テーブル部１０に設けられたロック解除レバー２４に連動してその作動により前記ロッドの突没を可能とする作動片２３とから構成されている。そして、このシリンダ部１４が、前記可動支柱７の内部で昇降不能に支持されると共に、前記テーブル部１０のロック解除レバー２４が、前記ガススプリングの作動片２３に対し分離可能に配置され、そのシリンダ部１４の下端には、取付ブラケット１６が固定され、この取付ブラケット１６には、ピン１５により連結部１８が取り付けられ、この連結部１８は、ネジ１７により台座部３ａに固定される。
【００１６】
ガススプリング１３のロッド２０の先端には、ネジによる取り付け可能な断面正方形の筒状のカラーからなるスライダ部２１が挿入され、径方向に内装されたネジによりスライダ部２１に固定されている。このスライダ部２１の外周面は、可動支柱７の内面７ａに摺接している。
そして、前記シリンダ部１４が、前記可動支柱７の内部で昇降不能に支持されると共に、前記テーブル部１０のロック解除レバー２４が、前記ガススプリング１３の作動片２３に対し分離可能に配置されている。
【００１７】
スライダ部２１の上端面２１ａは、下方からのスライダ部２１の係合可能な環状板からなる係合部２２が前記可動支柱７の内面に突設され、前記テーブル部１０の下方からテーブル部１０を押し上げる外力が加わったとき、前記作動片２３からの前記ロック解除レバー２４の分離を伴って、テーブル部１０及び可動支柱７を固定支柱６に対して上昇可能としている。
このスライダ部２１の採用により、ロッド２０を可動支柱７の中心に常に配置させることができ、しかも、可動支柱７を自由にスムーズに上下動させることができる。
【００１８】
ロッド２０の先端部分は、係合部２２に設けられた穴部２２ａ内に下から挿入され、角柱パイプからなるテーブル受け部材１２内に突出させている。ロッド２０の先端から突出している前記作動片２３は、ロッド２０内に押し込まれることで、ロッド２０のロック状態が解除され、ロッド２０にガス圧により上昇力を発生させる。そして、押し込みを解放することでロッド２０を、その位置で停止させてロックさせることができる。このような作動片２３の構成は周知技術である。
【００１９】
この作動片２３は、前記ロッド２０に対する付勢力に抗した押し込み操作を可能に設けられ、ロック解除レバー２４が角柱パイプからなるテーブル受け部材１２に軸部２６を介してシーソー状の上下揺動可能に支持されている。ロック解除レバー２４の外端部は、テーブル板１１の裏面側に配置され、内端部である作動部２４aは、作動片２３の先端に上から当接されている。即ち、ロック解除レバー２４の操作部に対する作動部２４aが、作動片２３に対し連動可能かつ分離可能に上方から当接されている。
【００２０】
従って、ロック解除レバー２４の外端部を矢印Ａ方向に上に持ち上げると、ロック解除レバー２４の作動部２４aが作動片２３の先端を押し下げ、ロッド２０のロックが解除され、これによって、ロッド２０がガス圧により上昇を開始する。ロッド２０が上昇すると、スライダ部２１と突起部２２との協働で、可動支柱７及びテーブル部１０を上昇させることができる。
【００２１】
そして、ロック解除レバー２４から手を離すと、ガス圧により作動片２３が上方に突出して、ロック解除レバー２４を自動的に復帰させると同時に、ロッド２０の上昇を停止させて、ロッド２０をロック状態にする（図２参照）。
【００２２】
テーブル部１０を降下させる場合は、ロック解除レバー２４の外端部を図１矢印Ａ方向に持ち上げた状態、ロッド２０のロックを解除した状態で、ガス圧に抗して、テーブル部１０を上から押さえ付けるように押し下げる。そして、テーブル部１０を所定の位置まで押し下げた時、ロック解除レバー２４から手を離して、ロッド２０を所定位置でロック状態にする。
【００２３】
図１及び図３に示されるように、昇降調整可能なベッド３０が上昇すると、ベッド３０のサイドボード３１も矢印Ｂ方向に上昇するが、そのとき、サイドボード３１上にテーブル部１０が載っていると、テーブル部１０も一緒に上昇する（二点鎖線参照）。
【００２４】
このとき、スライダ部２１の外周面は可動支柱７の内面７ａに摺接されているため、ローラスライダー８との協働により、テーブル部１０を自由に且つスムーズに上昇させることができる。また、ベッド３０のサイドボード３１が降下すると、サイドボード３１に載っているテーブル部１０も一緒に降下させることができる。また、ロッド２０のセンター出しを図っているスライダ部２１の採用により、可動支柱７が自由降下しても、ロック解除レバー２４の作動部２４aと作動片２３の先端とを確実に当接させることができる。
【００２５】
このように、ロッド２０が停止状態であっても、ガススプリング１３の自重に影響されることなく、テーブル部１０及び可動支柱７を自由に昇降させることができるので、テーブル部１０の自由な上昇をスムーズにし、テーブル部１０の自由降下によるガススプリング１３の損傷を防止することができる。
【符号の説明】
【００２６】
１…ベッドサイドテーブル  ２…支持体    ６…固定支柱    ７…可動支柱    １０…テーブル部  １３…ガススプリング  １４…シリンダ部    ２０…ロッド  ２１…スライダ部    ２２…係合部    ２４…ロック解除レバー  
【図１】
2014108276.tif 000003
【図２】
2014108276.tif 000004
【図３】
2014108276.tif 000005